(57)【要約】  本発明は、エンクロージャに用いられるフレーム構造体を製作するための組立てキットに関する。当該組立てキットが、ａ）規定された幅、奥行きおよび高さを有する、４つの水平方向の幅ステーと、４つの水平方向の奥行きステーと、４つの垂直方向の枠辺部とから成るエンクロージャ枠組と、ｂ）２つの水平方向のフレーム幅ステーと２つの垂直方向のフレームプロファイルとから成る、エンクロージャ枠組内に組込み可能でかつ該エンクロージャ枠組の奥行きステーに結合可能である垂直フレームと、ｃ）ボトムエレメントおよびトップエレメントとして、互いに間隔を置いて配置された２つの垂直フレームに結合されて１つの独立したベース枠組を形成するようになっているカバーエレメントと、ｄ）前記カバーエレメントにヒンジ結合可能である少なくとも１つのエンクロージャドアとから成っていると、少数の単純な構成ユニットを用いて大きな構成バリエーションを達成することができる。
2007522785.tif 000002
【特許請求の範囲】
【請求項１】
エンクロージャに用いられるフレーム構造体を製作するための組立てキットにおいて、
ａ）  規定された幅、奥行きおよび高さを有する、４つの水平方向の幅ステー（３１）と、４つの水平方向の奥行きステー（３２）と、４つの垂直方向の枠辺部（３３）とから成るエンクロージャ枠組（３０）が設けられており、
ｂ）  ２つの水平方向のフレーム幅ステー（１２）と２つの垂直方向のフレームプロファイル（１１）とから成る垂直フレーム（１０）が設けられており、該垂直フレーム（１０）が、エンクロージャ枠組（３０）内に組込み可能でかつ該エンクロージャ枠組（３０）の奥行きステー（３２）に結合可能であり、
ｃ）  カバーエレメント（２０）が設けられており、該カバーエレメント（２０）が、ボトムエレメントおよびトップエレメントとして、互いに間隔を置いて配置された２つの垂直フレーム（１０）に結合されて１つの独立したベース枠組（６０）を形成するようになっており、
ｄ）  少なくとも１つのエンクロージャドア（８０）が設けられており、該エンクロージャドア（８０）が、前記カバーエレメント（２０）にヒンジ結合可能であり、該エンクロージャドア（８０）の周面が屈曲されている
ことを特徴とする、エンクロージャに用いられるフレーム構造体を製作するための組立てキット。
【請求項２】
エンクロージャ枠組（３０）の幅ステー（３１）、奥行きステー（３２）および枠辺部（３３）が、それぞれ同一のプロファイルの区分から形成されており、該区分が、エンクロージャ枠組（３０）のコーナ範囲でコーナ結合器（４０）によって互いに固く結合されており、たとえば溶接されている、請求項１記載の組立てキット。
【請求項３】
エンクロージャ枠組（３０）の幅ステー（３１）と奥行きステー（３２）とが、固定のボトムフレーム（３５）および固定のトップフレーム（３５）を形成しており、該ボトムフレーム（３５）およびトップフレーム（３５）のコーナ範囲に垂直方向の枠辺部（３３）が取り付けられていて、該枠辺部（３３）が、コーナ結合器（４０）とボトムフレーム（３５）およびトップフレーム（３５）と共に一貫して延びる外側収容部（３６）を形成している、請求項１記載の組立てキット。
【請求項４】
垂直フレーム（１０）の垂直方向のフレームプロファイル（１１）が、少なくとも１列の固定用収容部（１１．４）を備えたベースプロファイル面（１１．３）を有しており、該ベースプロファイル面（１１．３）が、水平方向のフレーム幅ステー（１２）の端面と面一に整合しており、該ベースプロファイル面（１１．３）の両側で側方辺部（１１．１，１１．６）が屈曲されており、該側方辺部（１１．１，１１．６）が、垂直フレーム（１０）の対応する水平方向のフレーム幅ステー（１２）の長辺側の縁部に合わせて位置調整されていて、該長辺側の縁部に結合されている、請求項１から３までのいずれか１項記載の組立てキット。
【請求項５】
垂直フレーム（１０）の垂直方向のフレームプロファイル（１１）のベースプロファイル面（１１．３）と、屈曲された側方辺部（１１．１，１１．６）とに、それぞれ少なくとも一列の複数の同一の固定用収容部が、互いに位置調整された単一のピッチで導入されている、請求項４記載の組立てキット。
【請求項６】
垂直フレーム（１０）の垂直方向のフレームプロファイル（１１）のベースプロファイル面（１１．３）と、屈曲された側方辺部（１１．１，１１．６）とに、それぞれ少なくとも１列の複数の同じまたは同一の固定用収容部（１１．４；１１．２；１１．７）が、互いに等しいピッチまたは互いに異なるピッチで導入されている、請求項４記載の組立てキット。
【請求項７】
垂直フレーム（１０）の水平方向のフレーム幅ステー（１２）と垂直方向のフレームプロファイル（１１）とが、コーナ範囲で互いに固く結合されており、たとえば溶接されている、請求項１から６までのいずれか１項記載の組立てキット。
【請求項８】
プレート状のカバーエレメント（２０）が、互いに向かい合って位置する２つの側で直角に屈曲された固定用縁部（２３）を有しており、該固定用縁部（２３）が、少なくとも１列の複数の固定用収容部（２３．１，２３．２）を備えており、２つの垂直フレーム（１０）の垂直方向のフレームプロファイル（１１）のベースプロファイル面（１１．３）が、カバーエレメント（２０）の前記固定用縁部（２３）の内面に、互いに異なる間隔を置いて結合されて１つのベース枠組（６０）を形成するようになっている、請求項１記載の組立てキット。
【請求項９】
垂直フレーム（１０）の水平方向のフレーム幅ステー（１２）が、ケーブル導入用貫通孔（１２．２）を備えており、両垂直フレーム（１０）が、水平方向のフレーム幅ステー（１２）の固定用収容部（１２．３）を介して、エンクロージャ枠組（３０）の水平方向の奥行きステー（３２）の対応する上面に種々の相互間隔を置いて結合可能である、請求項１から８までのいずれか１項記載の組立てキット。
【請求項１０】
カバーエレメント（２０）のベースプレート（２１）が、ベース枠組（６０）に設けられた垂直フレーム（１０）の水平方向のフレーム幅ステー（１２）を介してケーブル導入用切欠き（２１．１）を備えている、請求項９記載の組立てキット。
【請求項１１】
カバーエレメント（２０）の固定用縁部（２３）の自由な縁部が、外方へ向かって屈曲された結合ウェブ（２６）を支持しており、カバーエレメント（２０）のベースプレート（２１）が、前記固定用縁部（２３）を越えて突出していて、前記結合ウェブ（２６）と共に、ベース枠組（６０）に側壁を取り付けるための収容部（２４）を形成している、請求項９または１０記載の組立てキット。
【請求項１２】
カバーエレメント（２０）のベースプレート（２１）が、前記固定用縁部（２３）に対して直角に延びる面で突出していて、屈曲部（２５）を有しており、該屈曲部（２５）にエンクロージャドアが枢着可能でかつ閉鎖可能であり、さらに後壁が取付け可能である、請求項９から１１までのいずれか１項記載の組立てキット。
【請求項１３】
カバーエレメント（２０）のベースプレート（２１）が、中心の貫通孔（２１．２）と、コーナ範囲に複数の固定用孔（２２）とを備えている、請求項９から１２までのいずれか１項記載の組立てキット。
【請求項１４】
エンクロージャ枠組（３０）が、同一のボトムフレーム（３５）と同一のトップフレーム（３５）とから形成されており、該ボトムフレームと該トップフレームとが、突出したコーナ結合器（４）によって互いの方向に向けられていて、４つの垂直方向の枠辺部（３３）を介して互いに結合されてエンクロージャ枠組（３０）を形成している、請求項１から１３までのいずれか１項記載の組立てキット。
【請求項１５】
エンクロージャ枠組（３０）の垂直方向の枠辺部（３３）が、コーナ結合器（４０）の差込み部分（４０．２）のための差込み収容部（３３．３）を備えたプロファイル部分を有しており、該プロファイル部分が、外側輪郭によって外側収容部（３６）を形成しており、該外側収容部（３６）が、ボトムフレームおよびトップフレーム（３５）の対角線平面に対して対称的に形成されている、請求項１４記載の組立てキット。
【請求項１６】
エンクロージャ枠組（３０）のボトムフレームおよびトップフレーム（３５）が、コーナ収容部（３５．１）を有しており、該コーナ収容部（３５．１）内に、コーナ結合器（４０）の充填部分（４０．１）が挿入可能でかつボトムフレームもしくはトップフレーム（３５）に結合可能であり、コーナ結合器（４０）の充填部分（４０．１）の外側輪郭により、エンクロージャ枠組（３０）の垂直方向のフレームプロファイル（３３）の外側収容部（３６）が、ボトムフレームおよびトップフレーム（３５）を超えて延長されている、請求項１４または１５記載の組立てキット。
【請求項１７】
エンクロージャ枠組（３０）の垂直方向のフレームプロファイル（３３）が、該フレームプロファイル（３３）の端面（３３．１；３３．２）によって、ボトムフレームおよびトップフレーム（３５）およびコーナ結合器（４０）の充填部分（４０．１）の互いに向かい合わされた側に起立してボトムフレームおよびトップフレーム（３５）に結合されている、請求項１４から１６までのいずれか１項記載の組立てキット。
【請求項１８】
エンクロージャ枠組（３０）の垂直方向のフレームプロファイル（３３）が、ボトムフレーム（３５）とトップフレーム（３５）との間に、エンクロージャ枠組（３０）の内室に向かって開いた通路（３３．０）を形成しており、該通路（３３．０）が、ボックスプロファイル（５０）によって閉鎖可能であり、該ボックスプロファイル（５０）が、垂直通路（５０．１，５０．２）を有していて、閉鎖壁（５０．３）に複数の孔（５０．４）の列を備えている、請求項１４から１７までのいずれか１項記載の組立てキット。
【請求項１９】
ボックスプロファイル（５０）の閉鎖壁（５０．３）が、カバーウェブ（５０．５）によって、エンクロージャ枠組（３０）の垂直方向のフレームプロファイル（３３）に設けられた通路（３３．０）をカバーしている、請求項１８記載の組立てキット。
【請求項２０】
垂直方向のフレームプロファイル（３３）の、前記通路（３３．０）を形成するプロファイル面（３３．４）が、自由なプロファイル面（３３．６）の外側に一体成形された結合ウェブ（３３．５）を支持している、請求項１７から１９までのいずれか１項記載の組立てキット。
【請求項２１】
エンクロージャドア（８０）が、屈曲された縁部（８２，８３）を備えており、該縁部（８２，８３）が、エンクロージャドア（８０）のヒンジ側のコーナ範囲で、ベース枠組（６０）のカバーエレメント（２０）の支承収容部（２８）内に導入可能なヒンジピン（８６）を備えたヒンジエレメント（８７）を収容しており、該ヒンジエレメント（８７）に設けられたヒンジピン（８６）が、軸方向で制限された量だけ調節可能であって、かつ少なくとも対応する支承収容部（２８）または支承ブシュ（２９）との係合位置においてカバーエレメント（２０）の屈曲部（２５）に移動不能に位置固定可能である、請求項１から２０までのいずれか１項記載の組立てキット。
【請求項２２】
カバーエレメント（２０）の固定用縁部（２３）の端縁部（２３．３）が、少なくとも、ドアリーフ（８１）に対して直角に向けられた第１のドア屈曲部（８２）の寸法に少なくとも相当する量だけ前記屈曲部（２５）に対して後方へずらされている、請求項１から２１までのいずれか１項記載の組立てキット。
【請求項２３】
カバーエレメント（２０）の屈曲部（２５）に設けられた支承収容部（２８）内に支承ブシュ（２９）が挿入されている、請求項１から２２までのいずれか１項記載の組立てキット。
【請求項２４】
エンクロージャドア（８０）の閉鎖側が、手動式にまたはロッドクロージャによって調節可能な閉鎖ロッドを支持しており、該閉鎖ロッドが、ベース枠組（６０）のカバーエレメント（２０）の前記屈曲部（２５）に設けられた支承収容部（２８）または支承ブシュ（２９）内に導入可能でかつ該支承収容部（２８）または支承ブシュ（２９）から導出可能である、請求項１から２３までのいずれか１項記載の組立てキット。
【発明の詳細な説明】
【技術分野】
【０００１】
本発明は、「配電盤キャビネット」、「スイッチキャビネット」等とも呼ばれるエンクロージャ（Schaltschrank）に用いられるフレーム構造体を製作するための組立てキットに関する。
【０００２】
エンクロージャに用いられる枠組は幅、奥行きおよび高さに関して種々の構成サイズで知られている。この場合、水平方向および垂直方向の成形区分もしくはプロファイル区分は枠辺部（Rahmenschenkel）として種々の形式で互いに結合され得る。すなわち、枠組の４つのコーナ範囲においてコーナ結合器によって１２個のプロファイル区分を互いに結合することができる。コーナ結合器には、それぞれ３つの突き合わされた枠辺部が取り付けられる。
【０００３】
しかし、枠組は、枠組のボトム範囲とトップ範囲とにおいてそれぞれ４つの水平方向の枠辺部が、互いに固く結合された１つのボトムフレームおよびトップフレームを形成するように形成されていてもよい。両フレームは４つのコーナ範囲において４つの垂直方向の枠辺部によって互いに結合される。
【０００４】
さらに、枠組のためには、種々異なる横断面およびプロファイル面（Profilseite）を備えた種々異なるプロファイル区分を使用することができる。これらのプロファイル区分は１列または複数列の固定用収容部を有している。この場合、これらの列は同じ固定用収容部または互いに異なって形成された固定用収容部の種々異なるピッチを有していてよい。
【０００５】
このことから既に、枠組に課せられている組込み条件がフレーム構造に大きな影響を与えることが判る。
【０００６】
したがって、本発明の課題は、種々異なる組込み条件に適合可能なフレーム構造体を製作することのできる、少数の単純な構成ユニットから成る組立てキットを提供することである。
【０００７】
この課題を解決するために本発明によれば、
ａ）  規定された幅、奥行きおよび高さを有する、４つの水平方向の幅ステーと、４つの水平方向の奥行きステーと、４つの垂直方向の枠辺部とから成るエンクロージャ枠組と、
ｂ）  ２つの水平方向のフレーム幅ステーと２つの垂直方向のフレームプロファイルとから成る、エンクロージャ枠組内に組込み可能でかつ該エンクロージャ枠組の奥行きステーに結合可能である垂直フレームと、
ｃ）  ボトムエレメントおよびトップエレメントとして、互いに間隔を置いて配置された２つの垂直フレームに結合されて１つの独立したベース枠組を形成するようになっているカバーエレメントと
から成る組立てキットが提供される。
【０００８】
エンクロージャ枠組は単独で公知の形式で種々の架装機器を取り付けるために使用され、かつエンクロージャドアとパネルエレメントとを用いて閉鎖され得る。
【０００９】
しかし、このエンクロージャ枠組内には、互いに異なる組込み奥行きを有する、たとえば１９´´架装機器を取り付けるために使用される２つの垂直フレームを組み込むこともできる。
【００１０】
さらに、このような２つの垂直フレームは２つのカバーエレメントに結合されて、独立した１つのベース枠組を形成することができ、このベース枠組内にこのような架装機器を挿入することができる。この場合、これらの架装機器の種々異なる取付け奥行きに対する簡単な適合が可能となる。この独立したベース枠組はエンクロージャドアおよび垂直方向のサイドパネルエレメントによって、全く異なる取付け条件に適合されていてよく、かつ充足されて完全な形の十分に独立したエンクロージャを形成することのできる１つのベース枠組に組み立てられ得る。こうして、２つの付加的な単純な構成部分を用いてフレーム構造体を製作するためのバリエーション可能性を著しく高め、ひいては種々異なる取付け条件に合わせたエンクロージャの在庫管理を著しく軽減させることが可能となる。
【００１１】
組立てキットの構成ユニットであるエンクロージャ枠組は、エンクロージャ枠組の幅ステー、奥行きステーおよび枠辺部の区分がそれぞれ同一の異形成形材もしくはプロファイルの区分から形成されるように構成されていてよい。これらのプロファイル区分はエンクロージャ枠組のコーナ範囲においてコーナ結合器によって、たとえば溶接により互いに固く結合されている。しかし、エンクロージャ枠組の構成を、エンクロージャ枠組の幅ステーおよび奥行きステーが固定のボトムフレームおよび固定のトップフレームを形成しかつボトムフレームおよびトップフレームのコーナ範囲に垂直方向の枠辺部が取り付けられて、コーナ結合器およびボトムフレームおよびトップフレームと共に一貫した外側収容部を形成するように選択することもできる。
【００１２】
組立てキットの、垂直フレームとして形成された構成ユニットに関して、本発明の別の構成では、垂直フレームの垂直方向のフレームプロファイルが、少なくとも１列の固定用収容部を備えたベースプロファイル面を有しており、該ベースプロファイル面が、水平方向のフレーム幅ステーの端面と面一に整合しており、該ベースプロファイル面の両側で側方辺部が屈曲成形されており、該側方辺部が、垂直フレームの対応する水平方向のフレーム幅ステーの長辺側の縁部に合わせて位置調整されていて、該長辺側の縁部に結合されている。この場合、垂直フレームの垂直方向のフレームプロファイルは、垂直フレームの垂直方向のフレームプロファイルのベースプロファイル面と、屈曲成形された側方辺部とに、それぞれ少なくとも一列の複数の同一の固定用収容部が、互いに位置調整された単一のピッチで導入されるように、または垂直フレームの垂直方向のフレームプロファイルのベースプロファイル面と、屈曲成形された側方辺部とに、それぞれ少なくとも１列の複数の同じまたは同一の固定用収容部が、互いに等しいピッチまたは互いに異なるピッチで導入されように形成されていてよい。
【００１３】
垂直フレームの水平方向のフレーム幅ステーと垂直方向のフレームプロファイルとが、コーナ範囲で互いに固く結合されており、たとえば溶接されていると、垂直フレームの構成ユニットは、十分な強度およびねじり剛性を有しており、ひいては垂直フレームの一部の永久位置調整を有している。
【００１４】
２つの垂直フレームを２つのカバーエレメントに結合して１つのベース枠組を簡単に形成できるようにするために、本発明のさらに別の有利な構成では、プレート状のカバーエレメントが、互いに向かい合って位置する２つの側で直角に屈曲された固定用縁部を有しており、該固定用縁部が、少なくとも１列の複数の固定用収容部を備えており、２つの垂直フレームの垂直方向のフレームプロファイルのベースプロファイル面が、カバーエレメントの前記固定用縁部の内面に、互いに異なる間隔を置いて結合されて１つのベース枠組を形成するようになっている。
【００１５】
垂直フレームの水平方向のフレーム幅ステーが、ケーブル導入用貫通孔を備えており、両垂直フレームが、水平方向のフレーム幅ステーの固定用収容部を介して、エンクロージャ枠組の水平方向の奥行きステーの対応する上面に種々の相互間隔を置いて結合可能であることにより、エンクロージャ枠組として形成された構成ユニット内への垂直フレームの組込みが容易にされる。
【００１６】
垂直フレームがベース枠組の一部である場合、ボトムエレメントまたはトップエレメントを介してケーブルを導入するためには、カバーエレメントのベースプレートが、ベース枠組に設けられた垂直フレームの水平方向のフレーム幅ステーを介してケーブル導入用切欠きを備えている。
【００１７】
ベース枠組に側壁とエンクロージャドアとを取り付けるためには、次のような特徴を有する構成が有利である。すなわち、カバーエレメントの固定用縁部の自由な縁部が、外方へ向かって屈曲された結合ウェブを支持しており、カバーエレメントのベースプレートが、前記固定用縁部を越えて突出していて、前記結合ウェブと共に、ベース枠組に側壁を取り付けるための収容部を形成しており、さらに、カバーエレメントのベースプレートが、前記固定用縁部に対して直角に延びる面で突出していて、屈曲部を有しており、該屈曲部にエンクロージャドアが枢着可能でかつ閉鎖可能であり、さらに後壁が取付け可能である。
【００１８】
カバーエレメントのベースプレートが、中心の貫通孔と、コーナ範囲に複数の固定用孔とを備えていることにより、エンクロージャ枠組の構造を単純化することができる。この場合、ボトムフレームおよびトップフレームにおける垂直方向の枠辺部の取付けは、エンクロージャ枠組の垂直方向の枠辺部が、コーナ結合器の差込み部分のための差込み収容部を備えたプロファイル部分を有しており、該プロファイル部分が、外側輪郭によって外側収容部を形成しており、該外側収容部が、ボトムフレームおよびトップフレームの対角線平面に対して対称的に形成されているようにして解決されている。さらに、エンクロージャ枠組のボトムフレームおよびトップフレームが、コーナ収容部を有しており、該コーナ収容部内に、コーナ結合器の充填部分が挿入可能でかつボトムフレームもしくはトップフレームに結合可能であり、コーナ結合器の充填部分の外側輪郭により、エンクロージャ枠組の垂直方向のフレームプロファイルの外側収容部が、ボトムフレームおよびトップフレームを超えて延長されていることにより、エンクロージャ枠組のコーナ範囲における外側収容部を、エンクロージャ枠組の全高にわたって維持することができる。
【００１９】
本発明のさらに別の有利な構成では、エンクロージャ枠組の垂直方向のフレームプロファイルが、該フレームプロファイルの端面によって、ボトムフレームおよびトップフレームおよびコーナ結合器の充填部分の互いに向かい合わされた側に起立してボトムフレームおよびトップフレームに結合されている。この場合、非対称的な横断面においてそれぞれ端面が互いに上下逆さまに入れ換えられた状態で、垂直方向の枠辺部をボトムフレームまたはトップフレームに支持して固定することができる。
【００２０】
エンクロージャ枠組の垂直方向のフレームプロファイルが、ボトムフレームとトップフレームとの間に、エンクロージャ枠組の内室に向かって開いた通路を形成しており、該通路が、ボックスプロファイルによって閉鎖可能であり、該ボックスプロファイルが、垂直通路を有していて、閉鎖壁に複数の孔の列を備えていることにより、エンクロージャ枠組の垂直方向の枠辺部を、接続ケーブルおよび結合ケーブルの供給のために利用することができる。ボックスプロファイルはこの場合、エンクロージャ枠組の垂直方向の枠辺部の、必要とされない通路を閉鎖することができる。この場合、ボックスプロファイルの閉鎖壁が、カバーウェブによって、エンクロージャ枠組の垂直方向のフレームプロファイルに設けられた通路をカバーしていることにより、通路の閉鎖が最適となる。
【００２１】
垂直方向のフレームプロファイルの、前記通路を形成するプロファイル面が、自由なプロファイル面の外側に一体成形された結合ウェブを支持していることにより、エンクロージャ枠組の垂直方向の枠辺部における別の取付け可能性が提供される。
【００２２】
本発明のさらに別の有利な構成では、エンクロージャドアが、屈曲された縁部を備えており、該縁部が、エンクロージャドアのヒンジ側のコーナ範囲で、ベース枠組のカバーエレメントの支承収容部内に導入可能なヒンジピンを備えたヒンジエレメントを収容しており、該ヒンジエレメントに設けられたヒンジピンが、軸方向で制限された量だけ調節可能であって、かつ少なくとも対応する支承収容部または支承ブシュとの係合位置においてカバーエレメントの屈曲部に移動不能に位置固定可能である。
【００２３】
これによって、枠辺部におけるエンクロージャドアの枢着のために取付け可能なヒンジエレメントが不要になる。なぜならば、このヒンジエレメントの役目が、枠辺部のカバーエレメントの屈曲部に設けられた支承収容部によって引き受けられるからである。ヒンジピンを備えた、エンクロージャドアに取り付けられるべき対応ヒンジエレメントだけしか必要とならない。ヒンジエレメントは、枠辺部におけるエンクロージャドアの容易な組付け・取外しを可能にする。
【００２４】
カバーエレメントの固定用縁部の端縁部が、少なくとも、ドアリーフに対して直角に向けられた第１のドア屈曲部の寸法に少なくとも相当する量だけ、屈曲された縁部に対して後方へずらされている、つまりセットバックされていることにより、枠組はエンクロージャドアの枢着を容易にする。こうして、エンクロージャドアを旋回可能に収容することのできる一種の収容部が枠組に提供される。
【００２５】
カバーエレメントの屈曲された縁部に設けられた支承収容部内に支承ブシュが挿入されていることにより、ヒンジエレメントに位置固定されたヒンジピンの回転支承部を簡単に改善することができる。
【００２６】
カバーエレメントの屈曲された縁部の両端範囲に支承収容部または支承ブシュが設けられると、付加的に次のような構成が考えられる。すなわち、エンクロージャドアの閉鎖側が、手動式にまたはロッドクロージャによって調節可能な閉鎖ロッドを支持しており、該閉鎖ロッドが、枠組のカバーエレメントの屈曲された縁部に設けられた支承収容部または支承ブシュ内に導入可能でかつ該支承収容部または支承ブシュから導出可能である。
【００２７】
本発明の考えられ得る択一的な別の構成では、支承収容部が支承ブシュとして形成されており、該支承ブシュが、二重壁の縁部の互いに向かい合わされた折り範囲に配置されている。これによって、ドアヒンジ結合のための安定した結合点が簡単に提供される。さらに、このような折り目はフロント側でカバーエレメントの丸められた閉鎖部を形成する。このような閉鎖部は視覚的に見栄えが良く、かつ切り傷を負わせる危険を排除する。この場合、特別な構成では、支承収容部が、二重壁の縁部の互いに向かい合わされた折り範囲に配置されている支承ブシュとして形成されている。二重壁の縁部のうちの少なくとも一方の縁部が屈曲部を有していて、該屈曲部がそれぞれ互いに向かい合って位置するカバーエレメントの方向にドアストッパとして突出していると、二重壁の縁部の機能を付加的に拡張させることができる。
【００２８】
以下に、本発明の実施例を図面につき詳しく説明する。
【００２９】
図１は、組立てキットの第１の構成ユニットである垂直フレームを示す斜視図であり、
図２は、図１に示した垂直フレームのコーナ範囲を示す部分的斜視図であり、
図３は、組立てキットの第２の構成ユニットである、ボトムエレメントとして使用されたカバーエレメントを示す拡大斜視図であり、
図４は、組立てキットの第３の構成ユニットであるエンクロージャ枠組のコーナ結合器と垂直方向の枠辺部とを備えたボトムフレームのコーナ範囲を示す分解斜視図であり、
図５は、ボックスプロファイルによって閉鎖可能な通路を備えた垂直方向の枠辺部を示す部分的斜視図であり、
図６は、取り付けられた２つの、図１に示した垂直フレームを備えたエンクロージャ枠組の下側の部分を示す斜視図であり、
図７は、図１に示した２つの垂直フレームと、図３に示した２つのカバーエレメントとから組み立てられたベース枠組を示す斜視図であり、
図７ｂは、カバーエレメントの択一的な別の構成を示す部分拡大図であり、
図８は、複数の側壁と、ヒンジを介して取り付けられた１つのエンクロージャドアとを備えたベース枠組を示す斜視図であり、
図９は、枠組と、枢着されたエンクロージャドアを備えたエンクロージャとの下側のコーナ範囲を示す部分的斜視図であり、
図１０は、図９に示した一部をエンクロージャドアなしに示す斜視図である。
【００３０】
図１に示した垂直フレーム１０は当該組立てキットの第１の構成ユニットを形成している。垂直フレーム１０は、レール状異形成形材である２つの垂直方向のフレームプロファイル１１と、２つの水平方向のフレーム幅ステー１２とから成っている。両フレームプロファイル１１の互いに向かい合わされたプロファイル面１１．１（図２）は、複数の固定用収容部１１．２の列と共に、たとえば１９´´（インチ）架装機器のための１つの固定用平面を形成している。フレームプロファイル１１は端面の範囲でフレーム幅ステー１２の端部に固く結合されており、たとえば溶接されている。フレームプロファイル１１のプロファイル面１１．１はフレーム幅ステー１２の長辺側の一方の縁部に対して平行に延びており、それに対してプロファイル面１１．３はフレーム幅ステー１２の端面と面一に整合している。さらに、プロファイル面１１．６はフレーム幅ステー１２の長辺側の他方の縁部と面一に整合している。プロファイル面１１．３，１１．６は少なくとも１列の固定用収容部１１．４，１１．７を備えている。両垂直方向のフレームプロファイル１１が非対称的な横断面にもかかわらず同一に形成されて、垂直フレーム１０のために使用され得るようにするために、両垂直方向のフレームプロファイル１１は、それぞれ端面が互いに上下逆さまに入れ換えられた状態でフレーム幅ステー１２に取り付けられている。
【００３１】
フレーム幅ステー１２はケーブル導入用貫通孔１２．２を備えていてよく、そして長辺側の縁部に沿って屈曲された縁部１２．１によって補剛されていてよい。さらに、図２に示した部分斜視図から判るように、フレーム幅ステー１２は端面の範囲に複数の固定用収容部１２．３を備えていてよい。
【００３２】
図３には、カバーエレメント２０が拡大斜視図で図示されている。このカバーエレメント２０は、屈曲された固定用縁部２３に対して平行に延びる中心長手方向平面に対して対称的に形成されているので、カバーエレメント２０は図７に示したベース枠組６０のためのボトムエレメントとしてもトップエレメントとしても使用され得る。この場合、固定用縁部２３は互いに背中合わせに向けられている。固定用縁部２３は２列の固定用収容部２３．１，２３．２を有している。１つのカバーエレメント２０の両固定用縁部２３の内面の相互間隔は１つの垂直フレーム１０の両フレームプロファイル１１のプロファイル面１１．３の外寸に相当しているので、垂直フレーム１０は固定用収容部１１．４を備えたこれらのプロファイル面１１．３を介してカバーエレメント２０の固定用縁部２３の内面に結合され得る。ボトムエレメントを成す１つの下側のカバーエレメント２０と、トップエレメントを成す１つの上側のカバーエレメント２０とが、相互間隔を置いて配置された２つの垂直フレーム１０を介して互いに結合されて、図７に示した１つのベース枠組６０を形成する。この場合、プロファイル面１１．１は垂直フレーム１０の互いに反対の側に配置されていてよい。このことは、第２の垂直フレーム１０を１８０゜だけ回転させることによって簡単に達成され得る。
【００３３】
カバーエレメント２０はベースプレート２１を有している。このベースプレート２１は固定用縁部２３に対して直角に位置する縁範囲にケーブル導入用貫通孔２１．１を備えている。これらのケーブル導入用貫通孔２１．１はベース枠組６０が構築された状態で、フレーム幅ステー１２に設けられたケーブル導入用貫通孔１２．２と重なる。さらに、カバーエレメント２０のベースプレート２１は中央の切欠き２１．２と、コーナ範囲に固定用孔２２とを備えていてよい。
【００３４】
ベースプレート２１のこれらの縁範囲は屈曲部２５を備えている。これらの屈曲部２５は固定用縁部２３の端面側を超えて突出していて、ベース枠組６０における後壁とエンクロージャドアとの取付けを容易にしている。カバーエレメント２０のベースプレート２１は固定用縁部２３の外側でも突出していて、これらの固定用縁部２３と共に収容部２４を形成している。この収容部２４はベース枠組６０における側壁の取付けを容易にしている。この場合に、固定用縁部２３の自由縁部においても、外方へ向かって屈曲された結合ウェブ２６を一緒に使用することができる。カバーエレメント２０を簡単に金属薄板打抜き・曲げ成形部分として廉価に製造することができることが容易に判る。
【００３５】
図４〜図６につき、組立てキットの別の構成ユニットの構造、つまり幅、奥行きおよび高さの規定された寸法に合わせて設計されているエンクロージャ枠組３０の構造について説明する。
【００３６】
このエンクロージャ枠組３０は４つの垂直方向の枠辺部３３を備えた同一のボトムフレームおよびトップフレーム３５から構成されている。これらの同一のフレームはそれぞれ２つの水平方向の幅ステー３１と、２つの水平方向の奥行きステー３２とから構成されている。ボトムフレームおよびトップフレーム３５のコーナ範囲では、突き合わされたステー同士が互いに固く結合されていて、コーナ収容部３５．１を形成している。両ステー３１，３２は水平方向および垂直方向のプロファイル面を有しており、これらのプロファイル面は複数の固定用収容部３１．１，３２．１の列を備えている。これらの固定用収容部３１．１，３２．１は垂直フレーム１０の固定用収容部１１．２とは異なっていると有利である。ボトムフレームおよびトップフレーム３５のコーナ収容部３５．１には、コーナ結合器４０が挿入されていて、フレーム３５とねじ締結されており、この場合、コーナ結合器４０に設けられた充填部分４０．１は、この充填部分４０．１が両ステー３１，３２の水平方向のプロファイル面と面一に整合するようにコーナ収容部３５．１を埋めており、これにより差込み部分４０．２に被せ嵌められた垂直方向の枠辺部３３が両ステーに支持され得るようになる。
【００３７】
図４に示したように、差込み部分４０．２は垂直方向の枠辺部３３のプロファイル部分３３．１内の中空室３３．３の横断面に調和されている。このプロファイル部分３３．１は外側輪郭と共に、コーナ収容部３５．１の対角線に対して対称的な外側収容部３６を形成している。この外側収容部３６はコーナ結合器４０の充填部分４０．１を介して続いていて、エンクロージャ枠組３０のパネルエレメントの取付けを容易にする。
【００３８】
図４および図５に示したように、異形成形部分であるプロファイル部分３３．１にはプロファイル部分３３．４が続いている。このプロファイル部分３３．４はエンクロージャ枠組３０の内室に対して開いている通路３３．０を形成している。この通路３３．０はケーブル通路として使用され得る。通路３３．０が必要とされない場合には、ケーブル通路５０．１，５０．２と閉鎖壁５０．３とを備えたボックスプロファイル５０を用いて通路３３．０を閉鎖することができる。閉鎖壁５０．３は複数の孔５０．４の列を有していて、カバーウェブ５０．５と共に垂直方向の枠辺部３３の通路３３．０をカバーする。
【００３９】
図６から判るように、垂直方向の枠辺部３３は、それぞれ端面３３．１，３３．２が互いに上下逆さまに入れ換えられた状態でフレーム３５に固定されるので、エンクロージャ枠組３０ではプロファイル部分３３．４が奥行きステー３２と面一に整合していて、互いに向かい合わされている。このことは４つの垂直方向の枠辺部３３の端面３３．１，３３．２を相応して回転させかつ互いに上下逆さまに入れ換えることによって簡単に可能となり、そして図６に示したエンクロージャ枠組３０をもたらす。このエンクロージャ枠組３０の上側のトップ範囲は単純に逆さまに形成されている。
【００４０】
下側および上側のフレーム３５の奥行きステー３２によって、互いに間隔を置いて配置された２つの垂直フレーム１０が固定される。この場合、２つの垂直フレーム１０はプロファイル面１１．１と固定用収容部１１．２とが垂直フレーム１０の互いに反対の側を向くように配置されていて、規定の間隔寸法にもたらされている。
【００４１】
２つのフレーム３５と４つの垂直方向の枠辺部３３とを備えた、図６に示したエンクロージャ枠組３０は、組み込まれた垂直フレームなしに設計することも、組み込まれた垂直フレーム付きに設計することもできる。垂直フレーム１０はフレーム幅ステー１２の固定用収容部１２．３を介してフレーム３５の奥行きステー３２に結合される。垂直フレーム１０の高さは両フレーム３５の内側間隔により与えられている。
【００４２】
図７には、エンクロージャのベース枠組６０が斜視図で示されている。このベース枠組６０は２つのプレート状の水平方向のカバーエレメント２０と、２つの垂直フレーム１０とから構成されている。この場合、垂直方向のフレームプロファイル１１は複数の固定用収容部の列を備えた種々のプロファイル面を有していてよい。
【００４３】
垂直フレーム１０は互いに間隔を置いて、カバーエレメント２０の、屈曲されかつ互いの方向に向けられた固定用縁部２３に固定される。この場合、固定用縁部２３は少なくとも１列の固定用収容部２３．１を備えているか、またはエンクロージャ奥行きの方向に延びる複数の長孔を備えている。垂直方向のフレームプロファイル１１はこの場合、固定用縁部２３の縁部２３．３（図１０参照）に対して後方へずらされていてよく、つまりセットバックされていてよい。カバーエレメント２０の、固定用縁部２３に対して直角に位置する縁部はＬ字形に屈曲されているので、縁部２５，２７が形成されており、これらの縁部２５，２７はカバーエレメント２０のベースプレート２１と共に二重壁を形成している。この縁部は第３の屈曲区分を用いて閉じられていてもよい。固定用縁部２３は縁部２３．３の付設部２３．４を備えており、これらの付設部２３．４は屈曲された縁部２５，２７を側方でカバーしている。念のため付言しておくと、垂直フレーム１０の垂直方向のフレームプロファイル１１は１列の固定用収容部を備えたプロファイル面によって固定用縁部２３の内面に接触していて、これらの内面に結合されている。
【００４４】
図７ｂには、カバーエレメント２０の択一的な別の実施例が示されている。この場合、縁部２５，２７は１８０゜だけ折られている。縁部２５，２７は支承収容部２８を備えた支承ブシュ２９を支持している。
【００４５】
図８に示したように、ベース枠組６０の両側は壁エレメント７０によって閉鎖されている。これらの壁エレメント７０はカバーエレメント２０の固定用縁部２３に固定される。エンクロージャドア８０は周縁部８２，８３から判るように、ドアリーフ８１の周面で同じく少なくともＬ字形に屈曲されている。これらの周縁部８２，８３も第３の屈曲区分８４によって少なくとも周面の広い部分にわたって閉じられていてよい。さらに、ドアリーフ８１の内面が固定用フレーム９０を支持してよい。この固定用フレーム９０は周縁部８２，８３に対して間隔８５を置いて位置していて、シールエレメントをも収容することができる。固定用フレーム９０は固定用収容部を有していて、それと同時にエンクロージャドア８０を補剛するためにも働く。
【００４６】
図９および図１０には、エンクロージャドア８０の枢着部の詳細が示されている。この場合、念のため付言しておくと、図示されていない上側の枢着個所は相応して鏡像対称的に設計されている。カバーエレメント２０の屈曲された縁部２５，２７は前側の垂直フレーム１０のフロント面に対して張り出しており、またカバーエレメント２０の固定用縁部２３の縁部２３．３に対しても張り出している。この場合、ベースプレート２１に対して平行に延びる、屈曲された縁部の区分２７は固定用縁部２３の縁部２３．９と面一に整合しているか、または第３の区分を介してベースプレート２１にまで案内されていてよい。しかし前記区分２７は前側の垂直フレーム１０の垂直方向のフレームプロファイル１１の平行な前側のプロファイル面にまで到達していてもよい。屈曲された縁部２５，２７の両端範囲には、支承収容部２８が導入されており、この支承収容部２８内には、付加的に支承ブシュ２９が挿入されていてよい。
【００４７】
エンクロージャドアの枢着側のコーナ範囲は、図９に示したように調節可能なヒンジピン８６を備えたヒンジエレメント８７を収容している。下側の枢着個所のヒンジエレメント８７においてヒンジピン８６が図示の位置で上方へ向かって作動させられると、このヒンジピン８６は周縁部８２，８３の区分８２から突出しなくなる。したがって、ヒンジピン８６の、引き込まれた係合端部が、支承収容部２８または支承ブシュ２９と整合するようにエンクロージャドア８０を下側のカバーエレメント２０の屈曲された縁部２５，２７に載着させることができる。同様のことは相応して、上側の枢着個所にも云える。ヒンジピン８６は軸方向に移動させられて、ヒンジピン８６の係合端部が、カバーエレメント２０の屈曲された縁部２５，２７の支承収容部２８または支承ブシュ２９内へ導入される。この場合に、ヒンジエレメント８７におけるヒンジピン８６の係合位置も非係合位置も固定可能で、かつ再び解放可能であってよい。
【００４８】
エンクロージャドア８０の閉鎖側では、手動式にまたはロッドクロージャを用いて調節可能な閉鎖ロッドがエンクロージャドア８０の裏側で周縁部８２，８３の範囲に配置されていてよい。これらの閉鎖ロッドはカバーエレメント２０の屈曲された縁部２５，２７の、塞がっていない方の支承収容部２８または支承ブシュ２９内へ導入可能でかつ再び導出可能である。これによって、エンクロージャドア８０を閉鎖位置に固定し、かつこの閉鎖位置から再び開放位置へ開放することができる。
【００４９】
本実施例において再度付言しておかなければならないことは、カバーエレメント２０が、固定用縁部２３に対して平行に延びるその中心平面において対称的に形成されていることである。このことは、固定用縁部２３に対して直角に位置する中心平面に対しても云えるので、カバーエレメント２０はベース枠組６０のためのボトムエレメントとしてもトップエレメントとしても使用可能となる。したがって、エンクロージャドア８０の枢着については、下側の枢着個所と上側の枢着個所とにおいて相応する構成が有効となる。エンクロージャドア８０における閉鎖エレメントの取付けに関しても、上下のカバーエレメント２０における事情および上下の閉鎖位置における事情は相応している。
【図面の簡単な説明】
【００５０】
【図１】組立てキットの第１の構成ユニットである垂直フレームを示す斜視図である。
【図２】図１に示した垂直フレームのコーナ範囲を示す部分的斜視図である。
【図３】組立てキットの第２の構成ユニットである、ボトムエレメントとして使用されたカバーエレメントを示す拡大斜視図である。
【図４】組立てキットの第３の構成ユニットであるエンクロージャ枠組のコーナ結合器と垂直方向の枠辺部とを備えたボトムフレームのコーナ範囲を示す分解斜視図である。
【図５】ボックスプロファイルによって閉鎖可能な通路を備えた垂直方向の枠辺部を示す部分的斜視図である。
【図６】取り付けられた２つの、図１に示した垂直フレームを備えたエンクロージャ枠組の下側の部分を示す斜視図である。
【図７】図１に示した２つの垂直フレームと、図３に示した２つのカバーエレメントとから組み立てられたベース枠組を示す斜視図である。
【図７ｂ】カバーエレメントの択一的な別の構成を示す部分拡大図である。
【図８】複数の側壁と、ヒンジを介して取り付けられた１つのエンクロージャドアとを備えたベース枠組を示す斜視図である。
【図９】枠組と、枢着されたエンクロージャドアを備えたエンクロージャとの下側のコーナ範囲を示す部分的斜視図である。
【図１０】図９に示した一部をエンクロージャドアなしに示す斜視図である。
【図１】
2007522785.tif 000003
【図２】
2007522785.tif 000004
【図３】
2007522785.tif 000005
【図４】
2007522785.tif 000006
【図５】
2007522785.tif 000007
【図６】
2007522785.tif 000008
【図７】
2007522785.tif 000009
【図７ｂ】
2007522785.tif 000010
【図８】
2007522785.tif 000011
【図９】
2007522785.tif 000012
【図１０】
2007522785.tif 000013
【手続補正書】
【提出日】平成16年12月8日(2004.12.8)
【手続補正１】
【補正対象書類名】明細書
【補正対象項目名】０００１
【補正方法】変更
【補正の内容】
【０００１】
本発明は、「配電盤キャビネット」、「スイッチキャビネット」等とも呼ばれるエンクロージャ（Schaltschrank）に用いられるフレーム構造体を製作するための組立てキットに関する。
【手続補正２】
【補正対象書類名】明細書
【補正対象項目名】０００２
【補正方法】変更
【補正の内容】
【０００２】
規定の幅、奥行きおよび高さを有する枠組から形成されたフレーム構造体は、種々の構成の形で知られている。枠組の４つのコーナ範囲ではコーナ結合器によって１２個の枠辺部（プロファイルストランドの区分）が互いに結合されて、強固なまたは解離可能な１つのフレーム構造体を形成し得る。
【手続補正３】
【補正対象書類名】明細書
【補正対象項目名】０００３
【補正方法】変更
【補正の内容】
【０００３】
欧州特許出願公開第００７６８１９号明細書に開示されているように、４つの鉛直方向のフレームプロファイルを、ボトムユニットであるカバーと、トップユニットであるカバーとを介して互いに結合して１つのフレーム構造体を形成することができる。
【手続補正４】
【補正対象書類名】明細書
【補正対象項目名】０００４
【補正方法】変更
【補正の内容】
【０００４】
この場合、このフレーム構造体は鉛直方向のフレームプロファイルに設けられた固定用収容部によって付加的な組付けレールの取付けを可能にする。
【手続補正５】
【補正対象書類名】明細書
【補正対象項目名】０００５
【補正方法】変更
【補正の内容】
【０００５】
公知のフレーム構造体では、取付け条件に基づき、使用される枠辺部の構成が著しい制約を受ける。
【手続補正６】
【補正対象書類名】明細書
【補正対象項目名】０００６
【補正方法】変更
【補正の内容】
【０００６】
したがって、本発明の課題は、少数の単純な構成ユニットを有し、かつそれにもかかわらず種々異なる組込み条件に適合され得る、エンクロージャに用いられるフレーム構造体を製作するための組立てキットを提供することである。
【手続補正７】
【補正対象書類名】明細書
【補正対象項目名】０００７
【補正方法】変更
【補正の内容】
【０００７】
この課題を解決するために本発明によれば、
ａ）  規定された幅、奥行きおよび高さを有する、４つの水平方向の幅ステーと、４つの水平方向の奥行きステーと、４つの垂直方向の枠辺部とから成るエンクロージャ枠組が設けられており、
ｂ）  プレート状のカバーエレメントが設けられており、該カバーエレメントが、互いに向かい合って位置する２つの側に直角に屈曲された固定用縁部を有しており、該固定用縁部が、少なくとも１列の固定用収容部を備えており、
ｃ）  垂直フレームが設けられており、該垂直フレームが、２つの垂直方向のフレームプロファイルと２つの水平方向のフレーム幅ステーとから構成されていて、エンクロージャ枠組内に組込み可能であり、該垂直フレームが、奥行きステーに結合可能であるか、または垂直方向のフレームプロファイルのベースプロファイル面によって前記カバーエレメントの固定用縁部の内面に種々異なる間隔で取付け可能であって、かつボトムエレメントおよびトップエレメントとして使用されるカバーエレメントと共に、独立した１つのベース枠組を形成しており、
ｄ）  少なくとも１つのエンクロージャドアが設けられており、該エンクロージャドアが、周面に沿って屈曲されていて、前記カバーエレメントにヒンジ結合可能である、
ことを特徴とする、エンクロージャに用いられるフレーム構造体を製作するための組立てキットが提供される。
【手続補正８】
【補正対象書類名】明細書
【補正対象項目名】０００８
【補正方法】変更
【補正の内容】
【０００８】
エンクロージャ枠組は既に単独で公知の形式で、エンクロージャドアと結合エレメントとによって閉鎖可能となる標準のエンクロージャを形成するために使用され得る。
【手続補正９】
【補正対象書類名】特許請求の範囲
【補正対象項目名】全文
【補正方法】変更
【補正の内容】
【特許請求の範囲】
【請求項１】
エンクロージャに用いられるフレーム構造体を製作するための組立てキットにおいて、
ａ）  規定された幅、奥行きおよび高さを有する、４つの水平方向の幅ステー（３１）と、４つの水平方向の奥行きステー（３２）と、４つの垂直方向の枠辺部（３３）とから成るエンクロージャ枠組（３０）が設けられており、
ｂ）  それぞれ２つの水平方向のフレーム幅ステー（１２）とそれぞれ２つの垂直方向のフレームプロファイル（１１）とから成る２つの垂直フレーム（１０）が設けられており、該垂直フレーム（１０）が、エンクロージャ枠組（３０）内に組込み可能でかつ該エンクロージャ枠組（３０）の奥行きステー（３２）に結合可能であり、
ｃ）  カバーエレメント（２０）が設けられており、該カバーエレメント（２０）が、ボトムエレメントおよびトップエレメントとして、互いに間隔を置いて配置された２つの垂直フレーム（１０）に結合されて１つの独立したベース枠組（６０）を形成するようになっており、
ｄ）  少なくとも１つのエンクロージャドア（８０）が設けられており、該エンクロージャドア（８０）が、前記カバーエレメント（２０）にヒンジ結合可能であり、該エンクロージャドア（８０）の周面が屈曲されている
ことを特徴とする、エンクロージャに用いられるフレーム構造体を製作するための組立てキット。
【請求項２】
エンクロージャ枠組（３０）の幅ステー（３１）、奥行きステー（３２）および枠辺部（３３）が、それぞれ同一のプロファイルの区分であり、該区分が、エンクロージャ枠組（３０）のコーナ範囲でコーナ結合器（４０）によって互いに固く結合されており、たとえば溶接されている、請求項１記載の組立てキット。
【請求項３】
エンクロージャ枠組（３０）の幅ステー（３１）と奥行きステー（３２）とが、固定のボトムフレーム（３５）および固定のトップフレーム（３５）を形成しており、該ボトムフレーム（３５）およびトップフレーム（３５）のコーナ範囲で垂直方向の枠辺部（３３）が、コーナ結合器（４０）と共に一貫して延びる外側収容部（３６）を形成している、請求項１記載の組立てキット。
【請求項４】
垂直フレーム（１０）の垂直方向のフレームプロファイル（１１）が、少なくとも１列の固定用収容部（１１．４）を備えたベースプロファイル面（１１．３）を有しており、該ベースプロファイル面（１１．３）が、垂直フレーム（１０）の水平方向のフレーム幅ステー（１２）の端面と面一に整合しており、該ベースプロファイル面（１１．３）の両側で側方辺部（１１．１）および（１１．６）が屈曲されており、該側方辺部（１１．１，１１．６）が、垂直フレーム（１０）の対応する水平方向のフレーム幅ステー（１２）の長辺側の縁部に合わせて位置調整されていて、該長辺側の縁部に結合されている、請求項１から３までのいずれか１項記載の組立てキット。
【請求項５】
垂直フレーム（１０）の垂直方向のフレームプロファイル（１１）のベースプロファイル面（１１．３）と、屈曲された側方辺部（１１．１，１１．６）とに、それぞれ少なくとも一列の複数の同一の固定用収容部が、互いに位置調整された単一のピッチで導入されている、請求項４記載の組立てキット。
【請求項６】
垂直フレーム（１０）の垂直方向のフレームプロファイル（１１）のベースプロファイル面（１１．３）と、屈曲された側方辺部（１１．１，１１．６）とに、それぞれ少なくとも１列の複数の同じまたは同一の固定用収容部（１１．４；１１．２；１１．７）が、互いに等しいピッチまたは互いに異なるピッチで導入されている、請求項４記載の組立てキット。
【請求項７】
垂直フレーム（１０）の水平方向のフレーム幅ステー（１２）と垂直方向のフレームプロファイル（１１）とが、コーナ範囲で互いに固く結合されており、たとえば溶接されている、請求項１から６までのいずれか１項記載の組立てキット。
【請求項８】
垂直フレーム（１０）の水平方向のフレーム幅ステー（１２）が、ケーブル導入用貫通孔（１２．２）を備えており、両垂直フレーム（１０）が、水平方向のフレーム幅ステー（１２）の固定用収容部（１２．３）を介して、エンクロージャ枠組（３０）の水平方向の奥行きステー（３２）の対応する上面に種々の相互間隔を置いて結合可能である、請求項１から７までのいずれか１項記載の組立てキット。
【請求項９】
カバーエレメント（２０）のベースプレート（２１）が、ベース枠組（６０）に設けられた垂直フレーム（１０）の水平方向のフレーム幅ステー（１２）を介してケーブル導入用切欠き（２１．１）を備えている、請求項８記載の組立てキット。
【請求項１０】
カバーエレメント（２０）の固定用縁部（２３）の自由な縁部が、外方へ向かって屈曲された結合ウェブ（２６）を支持しており、カバーエレメント（２０）のベースプレート（２１）が、前記固定用縁部（２３）を越えて突出していて、前記結合ウェブ（２６）と共に、ベース枠組（６０）に側壁を取り付けるための収容部（２４）を形成している、請求項８または９記載の組立てキット。
【請求項１１】
カバーエレメント（２０）のベースプレート（２１）が、前記固定用縁部（２３）に対して直角に延びる面で突出していて、屈曲部（２５）を有しており、該屈曲部（２５）にエンクロージャドアが枢着可能でかつ閉鎖可能であり、さらに後壁が取付け可能である、請求項８から１０までのいずれか１項記載の組立てキット。
【請求項１２】
カバーエレメント（２０）のベースプレート（２１）が、中心の貫通孔（２１．２）と、コーナ範囲に複数の固定用孔（２２）とを備えている、請求項８から１１までのいずれか１項記載の組立てキット。
【請求項１３】
エンクロージャ枠組（３０）が、同一のボトムフレーム（３５）と同一のトップフレーム（３５）とから形成されており、該ボトムフレームと該トップフレームとが、突出したコーナ結合器（４）によって互いの方向に向けられていて、４つの垂直方向の枠辺部（３３）を介して互いに結合されてエンクロージャ枠組（３０）を形成している、請求項１から１２までのいずれか１項記載の組立てキット。
【請求項１４】
エンクロージャ枠組（３０）の垂直方向の枠辺部（３３）が、コーナ結合器（４０）の差込み部分（４０．２）のための差込み収容部（３３．３）を備えたプロファイル部分を有しており、該プロファイル部分が、外側輪郭によって外側収容部（３６）を形成しており、該外側収容部（３６）が、ボトムフレームおよびトップフレーム（３５）の対角線平面に対して対称的に形成されている、請求項１３記載の組立てキット。
【請求項１５】
エンクロージャ枠組（３０）のボトムフレームおよびトップフレーム（３５）が、コーナ収容部（３５．１）を有しており、該コーナ収容部（３５．１）内に、コーナ結合器（４０）の充填部分（４０．１）が挿入可能でかつボトムフレームもしくはトップフレーム（３５）に結合可能であり、コーナ結合器（４０）の充填部分（４０．１）の外側輪郭により、エンクロージャ枠組（３０）の垂直方向のフレームプロファイル（３３）の外側収容部（３６）が、ボトムフレームおよびトップフレーム（３５）を超えて延長されている、請求項１３または１４記載の組立てキット。
【請求項１６】
エンクロージャ枠組（３０）の垂直方向のフレームプロファイル（３３）が、該フレームプロファイル（３３）の端面（３３．１；３３．２）によって、ボトムフレームおよびトップフレーム（３５）およびコーナ結合器（４０）の充填部分（４０．１）の互いに向かい合わされた側に起立してボトムフレームおよびトップフレーム（３５）に結合されている、請求項１３から１５までのいずれか１項記載の組立てキット。
【請求項１７】
エンクロージャ枠組（３０）の垂直方向のフレームプロファイル（３３）が、ボトムフレーム（３５）とトップフレーム（３５）との間に、エンクロージャ枠組（３０）の内室に向かって開いた通路（３３．０）を形成しており、該通路（３３．０）が、ボックスプロファイル（５０）によって閉鎖可能であり、該ボックスプロファイル（５０）が、垂直通路（５０．１，５０．２）を有していて、閉鎖壁（５０．３）に複数の孔（５０．４）の列を備えている、請求項１３から１６までのいずれか１項記載の組立てキット。
【請求項１８】
ボックスプロファイル（５０）の閉鎖壁（５０．３）が、カバーウェブ（５０．５）によって、エンクロージャ枠組（３０）の垂直方向のフレームプロファイル（３３）に設けられた通路（３３．０）をカバーしている、請求項１７記載の組立てキット。
【請求項１９】
垂直方向のフレームプロファイル（３３）の、前記通路（３３．０）を形成するプロファイル面（３３．４）が、自由なプロファイル面（３３．６）の外側に一体成形された結合ウェブ（３３．５）を支持している、請求項１６から１８までのいずれか１項記載の組立てキット。
【請求項２０】
エンクロージャドア（８０）が、屈曲された縁部（８２，８３）を備えており、該縁部（８２，８３）が、エンクロージャドア（８０）のヒンジ側のコーナ範囲で、ベース枠組（６０）のカバーエレメント（２０）の支承収容部（２８）内に導入可能なヒンジピン（８６）を備えたヒンジエレメント（８７）を収容しており、該ヒンジエレメント（８７）に設けられたヒンジピン（８６）が、軸方向で制限された量だけ調節可能であって、かつ少なくとも対応する支承収容部（２８）または支承ブシュ（２９）との係合位置においてカバーエレメント（２０）の屈曲部（２５）に移動不能に位置固定可能である、請求項１から１９までのいずれか１項記載の組立てキット。
【請求項２１】
カバーエレメント（２０）の固定用縁部（２３）の端縁部（２３．３）が、少なくとも、ドアリーフ（８１）に対して直角に向けられた第１のドア屈曲部（８２）の寸法に少なくとも相当する量だけ前記屈曲部（２５）に対して後方へずらされている、請求項１から２０までのいずれか１項記載の組立てキット。
【請求項２２】
カバーエレメント（２０）の屈曲部（２５）に設けられた支承収容部（２８）内に支承ブシュ（２９）が挿入されている、請求項１から２１までのいずれか１項記載の組立てキット。
【請求項２３】
エンクロージャドア（８０）の閉鎖側が、手動式にまたはロッドクロージャによって調節可能な閉鎖ロッドを支持しており、該閉鎖ロッドが、ベース枠組（６０）のカバーエレメント（２０）の前記屈曲部（２５）に設けられた支承収容部（２８）または支承ブシュ（２９）内に導入可能でかつ該支承収容部（２８）または支承ブシュ（２９）から導出可能である、請求項１から２２までのいずれか１項記載の組立てキット。
【国際調査報告】
2007522785.tif 000014
2007522785.tif 000015
2007522785.tif 000016
2007522785.tif 000017